(57)【要約】【課題】  写損ログの解析が容易に行えるように写損情報を集計することができる写損情報集計システムを提供する。【解決手段】  写損情報集計システムは、診断目的の撮影によって得られた画像データによって表される画像が写損画像であると判定された際に、該撮影に関する写損ログを、該写損画像を表わす写損画像データと関連付けて格納する画像処理装置２１及び２２と、画像処理装置２１及び２２に格納されている写損ログ及び写損画像データを収集して、収集した写損ログを用途に合わせて集計処理する写損情報収集装置４０とを具備する。【選択図】  図１
2006218139.tif 000002
【特許請求の範囲】
【請求項１】
診断目的の撮影によって得られた画像データによって表される画像が写損画像であると判定された際に、該撮影に関する写損ログを、該写損画像を表わす写損画像データと関連付けて格納する画像処理装置と、
前記画像処理装置に格納されている写損ログ及び写損画像データを収集して、収集した写損ログを用途に合わせて集計処理する写損情報収集装置と、
を具備する写損情報集計システム。
【請求項２】
前記画像処理装置が、前記写損情報収集装置によって写損ログ及び写損画像データが収集されると、該収集された写損ログ及び写損画像データを削除する、請求項１記載の写損情報集計システム。
【請求項３】
前記写損情報収集装置が、
前記画像処理装置から写損ログ及び写損画像データを収集する写損ログ・写損画像収集手段と、
前記写損ログ・写損画像収集部から送られてくる写損ログに基づいて集計処理を行う写損ログ集計手段と、
前記写損ログ集計部における写損ログの集計処理結果を表わす写損ログ集計結果データを格納するための格納手段と、
を備える、請求項１又は２記載の写損情報集計システム。
【請求項４】
前記写損ログ集計手段が、特定種の検査の写損ログのみを集計する集計処理を行う、請求項３記載の写損情報集計システム。
【請求項５】
前記写損ログ集計手段が、担当技師毎に又は所定の期間の検査日毎に写損ログを集計する集計処理を行う、請求項３又は４記載の写損情報集計システム。
【請求項６】
前記写損ログ集計手段が、全撮影数に対する写損数に基づいて写損率を算出する集計処理を行う、請求項３〜５のいずれか１項に記載の写損情報集計システム。
【発明の詳細な説明】
【技術分野】
【０００１】
本発明は、放射線画像の撮影時に発生した種々の原因による失敗（以下、「写損」と称する。）を示す写損情報を集計するための写損情報集計システムに関する。
【背景技術】
【０００２】
従来より、放射線（Ｘ線、α線、β線、γ線、電子線、紫外線等）を用いた撮影方法は様々な分野で利用されており、特に医療分野においては、診断のための最も重要な手段の一つとなっている。最初のＸ線写真が実現されてから、Ｘ線写真法は数々の改良を重ねられ、現在では蛍光スクリーンとＸ線フィルムを組み合わせた方法が主流となっている。一方、近年においては、医療用画像診断に用いられる装置として、Ｘ線ＣＴや超音波、ＭＲＩ等の様々なディジタル化された装置が実用化されており、病院内での診断情報処理システム等の構築が進められようとしている。Ｘ線画像についても、ディジタル化するための多くの研究がなされてきたが、輝尽性蛍光体を用いた放射線撮影方法が確立され、従来のＸ線写真法に置き換わるものとして注目されている。
【０００３】
輝尽性蛍光体（蓄積性蛍光体）とは、放射線を照射するとその放射線エネルギの一部が蓄積され、その後、可視光等の励起光を照射すると、蓄積されたエネルギに応じて輝尽発光する物質であり、その存在は従来から知られていた。これを用いた放射線撮影方法とは、輝尽性蛍光体を塗布したシートに人体等の被写体の放射線画像を撮影記録し、この輝尽性蛍光体シートをレーザ光等の励起光で走査すると輝尽発光光が生じるので、画像読取り装置を用いて輝尽発光光を光電的に読み取ることにより画像データを得るものである。画像読取り装置に接続された画像処理装置において、この画像データを適切に処理した後、ＣＲＴ等のディスプレイに出力したり、レーザプリンタ等によりフィルムに印刷したりして、放射線画像を可視画像として表示することができる。
【０００４】
このような放射線撮影方法は、撮影感度や画質の面で、従来のＸ線写真法に匹敵する性能を持っている。例えば、従来のＸ線写真法と比較して、露光域が極めて広く、また、露光量に対する輝尽発光光の応答が露光域全域に渡ってほぼ比例している。このため、被写体をどのような放射線量で撮影しても、画像の存在する発光域をとらえ、過不足なく正規化してディジタル信号化することができる。また、このようにして得た信号を適切な画像処理方法と組み合わせることにより、様々な撮影条件の下でも定常的に良質な画像を提供することが可能である。さらに、直接、ディジタル化された画像情報を得ているので、画像の劣化を招くことなく、大量のデータを長期保存することが可能になるばかりか、医療診断情報システムへの発展等も可能になる。
【０００５】
ところで、放射線画像の撮影においては、種々の原因による失敗（写損）が起こり得る。写損の原因としては、例えば、被写体である患者が不用意に移動してしまったような単純な原因や、撮影条件（例えば、Ｘ線量等）の設定ミスのような技術的な原因がある。
【０００６】
このような写損は、撮影時期とは異なる一定の時間が経過した時点（具体的には、医師による診断や読影時）で発見されるため、不都合な点を是正して再撮影を行うためには、まず、当初の撮影条件がどのようになっていたかを知る必要がある。
【０００７】
そこで、本出願人は、下記の特許文献１において、写損が発生した場合に、その再撮影を行うための撮影条件の入力を容易にするために、その放射線画像（以下、「写損画像」と称する。）に対応する撮影項目（患者の氏名、性別、生年月日及びＩＤ番号等の患者情報と、撮影年月日、撮影部位、撮影方法、撮影された輝尽性蛍光体シートのバーコード情報及び画像処理条件等の撮影情報）のコピーを作成する機能を有する画像情報処理システムを提案している。
【０００８】
なお、本願の写損情報集計システムの関連技術としては、以下に示すものがある。
下記の特許文献２には、利用者が欲しい情報を欲しい形式で得ることができるようにするために、医用施設に設置された複数の医用機器により取得される、利用状況に関する利用情報、及び、医用機器自体に関する機器情報をネットワークを介して受信して記憶する情報収集提供システムと、情報収集提供システムにアクセスして利用情報及び機器情報の種類や表示形式を設定情報として送信し、情報収集提供システムから設定情報に基づいて得られた情報を受信して表示するクライアント端末とからなる情報収集提供システムが開示されている。
【０００９】
また、下記の特許文献３には、メンテナンスの手間を軽減し、コストを低減すると共に、エラー発生時に迅速に対応可能とし、医用画像読取装置システムを構成する各装置を最適な状態に維持するために、装置情報集計処理において、コントローラ、予約装置及びリーダのエラー情報を装置毎にエラーログ情報テーブルに記憶し、エラー項目別のエラー発生回数を集計し、エラーログ情報表示画面を表示部に表示させ、また、制御部が、リーダから稼動情報を受信すると、稼動情報をリーダログ情報テーブルに記憶し、稼動内容別の稼動量を集計し、新たに受信した稼動情報をＲＡＭに記憶させ、リーダ情報テーブルに記憶したリーダログ情報とＲＡＭに記憶させた新たな稼動情報とを読み出して、リーダログ情報表示画面を表示部に表示させる医用画像読取システムが開示されている。
【００１０】
しかしながら、特許文献１の画像情報処理システムは、写損画像と対応した写損ログ（ｌｏｇ：工程等の記録）を保存しているだけであり、写損ログの解析が必要な場合には、ユーザが写損ログの内容を確認・編集して集計を行う必要があるという問題の他に、写損ログの内容の解析はユーザに任されているため、ユーザ側の負担が大きいという問題があった。
【００１１】
また、特許文献２の情報収集提供システム及び特許文献３の医用画像読取システムは、ネットワークを介して装置の状態や操作ログの情報を収集し集計し解析しているだけであり、写損ログと写損画像との対応関係が把握できないという問題があった。
【００１２】
さらに、これらのシステムにおいては、それぞれのシステムで写損ログを出力し、システム毎に写損ログの確認や管理（保存や削除）を行う必要があるので、システム間の写損ログに関する情報を纏めたり比較したりするためには、オペレータ操作により写損ログを収集して纏める必要があるという問題があった。
【特許文献１】特開２００２−１５９４８３号公報（段落００４６〜００４７）
【特許文献２】特開２００４−２５４９５２号公報（段落０００６〜００１２、図１）
【特許文献３】特開２００３−２２００５４号公報（段落０００４〜０００９、図１）
【発明の開示】
【発明が解決しようとする課題】
【００１３】
そこで、上記の点に鑑み、本発明は、写損ログの解析が容易に行えるように写損情報を集計することができる写損情報集計システムを提供することを目的とする。
【課題を解決するための手段】
【００１４】
以上の課題を解決するため、本発明に係る写損情報集計システムは、診断目的の撮影によって得られた画像データによって表される画像が写損画像であると判定された際に、該撮影に関する写損ログを、該写損画像を表わす写損画像データと関連付けて格納する画像処理装置と、画像処理装置に格納されている写損ログ及び写損画像データを収集して、収集した写損ログを用途に合わせて集計処理する写損情報収集装置とを具備する。
【発明の効果】
【００１５】
本発明においては、写損ログ及び写損画像データは一箇所に収集されるので、オペレータは、写損ログ及び写損画像データがどの画像処理装置に格納されているかを意識せずに、写損ログ及び写損画像データを収集することができる。
また、写損ログは写損画像データと関連付けられており、かつ、写損ログを用途に合わせて集計した写損ログ集計結果が作成されるので、オペレータは、写損画像データと関連付けされた写損ログや写損ログ集計結果に基づいて、容易に写損ログの解析を行うことができる。
【発明を実施するための最良の形態】
【００１６】
以下、図面に基づいて本発明の実施の形態について説明する。なお、同一の構成要素には同一の参照番号を付して、説明を省略する。
図１に、本発明の一実施形態に係る写損情報集計システムの構成を示す。図１に示すように、この写損情報集計システムは、第１及び第２の画像撮影装置１１及び１２と、第１及び第２の画像撮影装置１１及び１２がそれぞれ接続されている第１及び第２の画像処理装置２１及び２２と、第１及び第２の画像読取り装置３１及び３２と、写損情報集計装置（ホストマシン）４０とによって構成される。ここで、第１及び第２の画像処理装置２１及び２２と第１及び第２の画像読取り装置３１及び３２と写損情報集計装置４０とは、ネットワークＮ１を介して接続されている。
【００１７】
第１及び第２の画像撮影装置１１及び１２は、第１及び第２の画像処理装置２１及び２２からそれぞれ入力される撮影条件に従って、被写体に放射線を照射して撮影を行うことにより、カセッテに格納された記録シート（輝尽性蛍光体シート）に放射線画像等の情報を記録する。また、第１及び第２の画像撮影装置１１及び１２を用いて患者の所定の部位を撮影する際には、記録シートに付されたバーコードによって表されるバーコード情報と患者情報及び撮影情報と対応付けられる。なお、記録シートは、イメージング・プレート（Ｉｍａｇｉｎｇ  Ｐｌａｔｅ：ＩＰ）とも呼ばれる。
【００１８】
第１及び第２の画像読取り装置３１及び３２の各々は、第１又は第２の画像撮影装置１１又は１２を用いて患者の所定の部位が撮影された記録シート（輝尽性蛍光体シート）に励起光を照射して、蓄積記録された患者の放射線画像等の情報を光電的に読み取って放射線画像データを生成する。また、第１及び第２の画像読取り装置３１及び３２の各々は、記録シートから患者の放射線画像等の情報を読み取る際には、記録シートに付されたバーコードを読み取ってバーコード情報を取得する。
【００１９】
図２に示すように、第１及び第２の画像処理装置２１及び２２の各々は、画像処理部６１と、情報処理部６２と、写損ログ・写損画像送信部６３と、外部格納装置６４と、表示装置６５と、プリンタ６６と、入力装置６７と、ネットワークインタフェース６８とを備えている。画像処理部６１と情報処理部６２と写損ログ・写損画像送信部６３とはバスラインＢＬ１を介して相互に接続されている。また、情報処理部６２は、第１又は第２の画像撮影装置１１又は１２に接続されている。
【００２０】
入力装置６７は、キーボードやマウス等を用いて、患者の氏名、性別、生年月日及び患者識別番号等の患者情報と、撮影年月日、担当技師名、担当技師識別番号、撮影部位、撮影条件及び画像処理条件等の撮影情報とを入力するために使用される。また、第１及び第２の画像撮影装置１１及び１２による撮影が失敗し、撮影した放射線画像が診断に利用できない事態が発生した場合（すなわち、写損画像が発見された場合）に、入力装置６７は、写損ログ（担当技師識別番号、患者識別番号、撮影年月日、撮影部位及び写損原因等を含む写損画像に関する情報）の内の患者情報及び撮影情報に含まれていない情報（写損原因等）を入力するためにも使用される。
【００２１】
入力装置６７から入力された患者情報は、患者識別番号に基づいて検索できるように、外部格納装置６４に格納される。これにより、同じ患者については、この患者の患者識別番号を入力装置６７から入力するだけで、外部格納装置６４に格納されているこの患者の患者情報を取得することができる。また、患者情報に変更があった場合には、患者識別番号に基づいて外部格納装置６４を検索して患者情報を取得し、取得した患者情報を更新した後に外部格納装置６４に格納することにより、患者情報の入力作業の効率化及びオペレータの負担軽減を図ることができる。
【００２２】
画像処理部６１は、ネットワークＮ１及びネットワークインタフェース６８を介して接続された第１又は第２の画像読取り装置３１又は３２で読み取られた画像処理前の放射線画像を受信する機能と、受信した画像処理前の放射線画像に、プリンタ６６を用いて出力するのに適切な画像処理を施したり、撮影情報の一つである画像処理条件に従って画像処理を施したりする機能と、画像処理前の放射線画像及び／又は画像処理済みの放射線画像を患者情報及び撮影情報と関連付けて外部格納装置６４に格納したり表示装置６５に表示したりする機能とを備えている。
【００２３】
また、画像処理部６１は、写損画像が見つかると、この写損画像を表す写損画像データ（画像処理前の放射線画像データ及び／又は画像処理済み放射線画像データ）を、情報処理部６２から入力される写損ログと関連付けて、外部格納装置６４に格納したり表示装置６５に表示したりする機能も備えている。
【００２４】
表示装置６５は、オペレータが入力装置６７を用いて入力する患者情報、撮影情報及び写損原因等を確認のために表示したり、画像処理前の放射線画像及び／又は画像処理済みの放射線画像を患者情報及び撮影情報と関連付けて表示したり、写損画像を写損ログと関連付けて表示したりするためのものである。なお、表示装置６５としては、ＣＲＴ表示装置（モニタ）、ＬＣＤ（モニタ）、プラズマディスプレイ等の公知のディスプレイやモニタを用いることができる。
【００２５】
プリンタ６６は、医療用診断に供するために、画像処理部６１から送られてくる画像処理済みの放射線画像を患者情報及び撮影情報と関連付けてハードコピーするためのものである。
プリンタ６６としては、医療用診断に供される放射線フィルム画像と同等の性能を有するようなハードコピー画像を出力できるものであれば良い。このようなプリンタとしては、放射線画像データに応じて変調されたレーザービーム等の変調光ビームによって写真感光材料（感光フィルム）を走査露光して潜像を記録し、現像処理によって露光感光材料を現像して、放射線画像をハードコピー画像として出力するものや、放射線画像データに応じて変調された感熱記録ヘッド（サーマルヘッド）によって、又は同様に変調されたヒートモードレーザによって感熱材料（感熱フィルム）に放射線画像を記録して出力するもの等を代表的に挙げることができる。この他に、感光体とトナーを用い、受像材料に転写する電子写真方式のプリンタや、昇華方式により画像を受像材料に転写する方式のプリンタ等の公知のプリンタを用いても良い。
【００２６】
画像記録に用いられる感光材料や感熱材料は、特に制限的ではなく、感光フィルムや感熱フィルムが好ましく、また、材料的には、湿式現像処理や乾式現像処理が可能な銀塩写真感光材料、感光性熱現象材料、種々の感熱材料等、公知の感光材料や感熱材料等を例示することができる。
【００２７】
情報処理部６２は、入力装置６７を用いて入力される患者情報を、この患者情報に含まれている患者識別番号に基づいて検索できるように外部格納装置６４に格納すると共に、入力装置６７を用いて入力される患者識別番号に基づいて外部格納装置６４を検索して、この患者識別番号に該当する患者の患者情報が外部格納装置６４に格納されているか否かを調べ、この患者の患者情報が外部格納装置６４に格納されている場合には、その患者情報を外部格納装置６４から読み出して表示装置６５に表示させる。
【００２８】
また、情報処理部６２は、入力装置６７を用いて入力される撮影情報を表示装置６５に表示すると共に、外部格納装置６４に格納する。
さらに、情報処理部６２は、第１又は第２の画像撮影装置１１又は１２を用いて放射線画像を撮影する際に、第１又は第２の画像撮影装置１１又は１２から送られてくるバーコード情報を患者情報及び撮影情報と対応付けて外部格納装置６４に登録する。
【００２９】
さらに、情報処理部６２は、写損画像が見つかると、入力装置６７から入力される写損原因等の情報と、外部格納装置６４から取得した患者情報及び撮影情報とを用いて写損ログを作成する。
【００３０】
写損ログ・写損画像送信部６３は、ネットワークＮ１及びネットワークインタフェース６８を介して接続された後述の写損情報集計装置４０の写損ログ・写損画像収集部７１からの要求により、外部格納装置６４に格納されている写損ログ及び写損画像データを写損情報集計装置４０に送信すると供に、送信した写損ログ及び写損画像データを外部格納装置６４から削除する。
【００３１】
なお、画像処理部６１、情報処理部６２、及び、写損ログ・写損画像送信部６３は、ディジタル回路やアナログ回路で構成しても良いし、ＣＰＵとソフトウェア（プログラム）で構成しても良い。後者の場合には、ＣＰＵに動作を行わせるためのプログラムを、記録媒体としてのハードディスク等に記録する。ここで、記録媒体としては、内蔵のハードディスクの他に、外付けハードディスク、フレキシブルディスク、ＭＯ、ＭＴ、ＲＡＭ、ＣＤ−ＲＯＭ、ＤＶＤ−ＲＯＭ等を用いることもできる。
【００３２】
図３に示すように、写損情報集計装置４０は、写損ログ・写損画像収集部７１と、写損ログ集計部７２と、集計結果送信部７３と、外部格納装置７４と、表示装置７５と、ネットワークインタフェース７５とを備えている。写損ログ・写損画像収集部７１と集計結果送信部７３とは、バスラインＢＬ２を介して相互に接続されている。
【００３３】
写損ログ・写損画像収集部７１は、ネットワークインタフェース７５を介してネットワークＮ１に接続されており、第１及び第２の画像処理装置２１及び２２から写損ログ及び写損画像データを収集して、写損ログ集計部７２に出力する。
【００３４】
写損ログ集計部７２は、写損ログ・写損画像収集部７１から送られてくる写損ログに基づいて、特定種の検査の写損ログのみを集計したり、担当技師毎に又は所定の期間の検査日毎に写損ログを集計したり、全撮影数に対する写損数に基づいて写損率を算出したりする集計処理を行う。
写損ログ集計部７２における写損ログの集計処理結果を表わす写損ログ集計結果データと、写損画像を表す写損画像データとは、外部格納装置７４に格納されると共に、表示装置７５に表示される。
【００３５】
集計結果送信部７３は、第１又は第２の画像処理装置２１又は２２（図１）から写損ログ、写損画像データ、及び／又は、写損ログ集計結果データの送信の要求があると、要求のあった写損ログ、写損画像データ、及び／又は、写損ログ集計結果データを外部格納装置７４から読み出して、第１又は第２の画像処理装置２１又は２２に送信する。
【００３６】
写損ログ・写損画像収集部７１、写損ログ集計部７２、及び、集計結果送信部７３は、ディジタル回路やアナログ回路で構成しても良いし、ＣＰＵとソフトウェア（プログラム）で構成しても良い。後者の場合には、ＣＰＵに動作を行わせるためのプログラムを、記録媒体としてのハードディスク等に記録する。ここで、記録媒体としては、内蔵のハードディスクの他に、外付けハードディスク、フレキシブルディスク、ＭＯ、ＭＴ、ＲＡＭ、ＣＤ−ＲＯＭ、ＤＶＤ−ＲＯＭ等を用いることもできる。
【００３７】
次に、本実施形態に係る写損情報集計システムの動作について、患者Ａの放射線画像を、オペレータＢが第１の画像処理装置２１を操作し、担当技師Ｃが第１の画像撮影装置１１を用いて撮影する場合を例として説明する。
オペレータＢは、第１の画像処理装置２１の入力装置６７（図２）を用いて、患者Ａの患者識別番号を入力する。第１の画像処理装置２１の情報処理部６２は、入力装置６７から送られてくる患者識別番号に基づいて外部格納装置６４を検索して、患者Ａの患者情報が外部格納装置６４に格納されているか否かを調べる。
【００３８】
患者Ａの患者情報が外部格納装置６４に格納されている場合には、情報処理部６２は、その患者情報を外部格納装置６４から読み出して表示装置６５に表示させる。
【００３９】
一方、患者Ａの患者情報が外部格納装置６４に格納されていない場合には、情報処理部６２は、その旨を表示装置６５に表示させる。オペレータＢは、患者Ａの患者情報が外部格納装置６４に格納されていない旨が表示装置６５に表示されると、入力装置６７を用いて患者Ａの患者情報を入力する。情報処理部６２は、入力装置６７から送られてくる患者情報を、患者Ａの患者識別番号に基づいて検索できるように外部格納装置６４に格納する。
【００４０】
以上のようにして患者Ａの患者情報の入力が終了すると、オペレータＢは、入力装置６７を用いて撮影情報を入力する。情報処理部６２は、入力装置６７から送られてくる撮影情報を表示装置６５に表示すると共に、外部格納装置６４に格納する。
【００４１】
担当技師Ｃは、記録シートを第１の画像撮影装置１１にセットした後、表示装置６５に表示された撮影情報により指定された患者Ａの撮影部位を、この撮影情報により指定された撮影条件に従って撮影する。このとき、記録シートに付されたバーコードが第１の画像撮影装置１１によって読み取られることによって得られるバーコード情報は、第１の画像処理装置２１に送られて、情報処理部６２（図２）により患者Ａの患者情報及び撮影情報と対応付けられて外部格納装置６４に登録される。
【００４２】
その後、患者Ａの放射線画像が記録された記録シートは、例えば第２の画像読取り装置３２にセットされることにより、この放射線画像を表す放射線画像データが生成される。また、第２の画像読取り装置３２においては、記録シートに付されたバーコードが読み取られてバーコード情報が取得される。
【００４３】
第２の画像読取り装置３２によって生成された放射線画像データと、第２の画像読取り装置３２によって取得されたバーコード情報とは、ネットワークＮ１を介して第１の画像処理装置２１に送信される。
【００４４】
第１の画像処理装置２１の情報処理部６２は、第２の画像読取り装置３２から送られてくるバーコード情報に基づいて外部格納装置６４を検索して、患者Ａの患者情報及び撮影情報を取得して、取得した患者情報及び撮影情報を画像情報処理部６１に送る。画像情報処理部６１は、情報処理部６２から送られてくる撮影情報に含まれている画像処理条件に従って、第２の画像読取り装置３２から送られてくる放射線画像データを処理する。その後、画像情報処理部６１は、画像処理前の放射線画像データと画像処理済の放射線画像データとを、情報処理部６２から送られてくる患者Ａの患者情報及び撮影情報と関連付けて、表示装置６５に表示すると共に、外部格納装置６４に格納する。
【００４５】
このとき、表示装置６５に表示された放射線画像が診断に利用できないと判定されると、オペレータＢは、この放射線画像（写損画像）の撮影時に発生したと考えられる写損原因のような患者情報及び撮影情報に含まれていない情報を入力装置６７から入力する。情報処理部６２は、入力装置６７から送られてくる情報と、外部格納装置６４から取得した患者Ａの患者情報及び撮影情報とを用いて、写損ログ（担当技師Ｃの担当技師識別番号、患者Ａの患者識別番号、撮影年月日、撮影部位及び写損原因等を含む写損画像に関する情報）を作成して、画像処理部６１に送る。画像処理部６１は、この放射線画像の画像処理前の放射線画像データ及び画像処理済の放射線画像データ（写損画像データ）を、情報処理部６２から送られてくる写損ログと関連付けて、表示装置６５に表示すると共に、外部格納装置６４に格納する。
【００４６】
写損情報集計装置４０の写損ログ・写損画像収集部７１（図３）は、第１及び第２の画像処理装置２１及び２２に定期的にアクセスし、第１及び第２の画像処理装置２１及び２２の外部格納装置６４（図２）に格納されている写損ログ及び写損画像データを収集する。写損ログ・写損画像収集部７１は、収集した写損ログを写損画像データと関連付けて外部格納装置７４に格納する。また、写損ログ・写損画像収集部７１は、必要応じて、収集した写損ログ及び写損画像データを表示装置７５に送り、写損ログを写損画像と対応させて表示させる。
【００４７】
また、第１及び第２の画像処理装置２１及び２２の情報処理部６２（図２）は、写損情報集計装置４０の写損ログ・写損画像収集部７１からの要求に応じて、外部格納装置６４に格納されている写損ログ及び写損画像データが写損ログ・写損画像送信部６３から写損情報集計装置４０に送信されると、写損情報集計装置４０がこれらの情報を受信したことを確認した後に、送信した写損ログ及び写損画像データを外部格納装置６４から削除する。
【００４８】
写損情報集計装置４０の写損ログ・写損画像収集部７１（図３）は、収集した写損ログを写損ログ集計部７２に送る。写損ログ集計部７２は、送られてきた写損ログに基づいて、特定種の検査（例えば、頭部の検査や胸部の検査）の写損ログのみを集計処理したり、担当技師毎に又は所定の期間の検査日毎に写損ログを集計処理したり、全撮影数に対する写損数に基づいて写損率を算出処理したりする。
【００４９】
写損ログ集計部７２は、このような処理により得られる写損ログ集計結果を表わす写損ログ集計結果データを外部格納装置７４に格納する。また、写損ログ集計部７２は、必要に応じて、写損ログ集計結果データを表示装置７５に送り、写損ログ集計結果を表示装置７５に表示させる。なお、写損ログ集計結果は、オペレータが容易に確認できる書式に変換して、プリントアウトするか電子的に保存できるようにしても良い。また、写損ログ集計部７２は、外部格納装置７４に格納されている写損ログ集計結果データを読み出して、別の観点から写損ログを集計しても良い。
【００５０】
集計結果送信部７３は、第１又は第２の画像処理装置２１又は２２（図１）から写損ログ、写損画像データ、及び／又は、写損ログ集計結果データの送信の要求があると、要求のあった写損ログ、写損画像データ、及び／又は、写損ログ集計結果データを外部格納装置７４から読み出して、第１又は第２の画像処理装置２１又は２２に送信させる。
【００５１】
第１又は第２の画像処理装置２１又は２２の情報処理部６２（図２）は、写損ログ、写損画像データ、及び／又は、写損ログ集計結果データが写損情報集計装置４０から送信されてくると、写損ログを写損画像と対応させて表示装置６５に表示させたり、写損ログ集計結果を表示装置６５に表示させたりする。
【００５２】
以上のように構成された本実施形態に係る写損情報集計システムにおいては、以下に示すような効果が得られる。
（１）写損画像データと関連付けられた写損ログを検索したい場合には、第１及び第２の画像処理装置２１及び２２のいずれにその写損ログが格納されているかを意識せずに、写損情報集計装置４０にアクセスすることにより、検索したい写損ログを取得することができる。
（２）第１及び第２の画像処理装置２１及び２２の表示装置６５（図２）に写損ログ及び写損画像が表示されるので、写損ログと写損画像との対応関係を容易に把握することができる。
（３）写損情報集計装置４０にアクセスすることにより写損ログ集計結果を取得して、第１及び第２の画像処理装置２１及び２２の表示装置６５（図２）に表示することができるので、表示された写損ログ集計結果に基づいて写損ログの解析を容易に行うことできる。
（４）特定種の検査の写損ログのみを集計処理して得られる写損ログ集計結果により、例えば米国において義務化されている乳房検査の写真ログ情報の定期的提出に容易に対応することができる。
（５）担当技師毎に写損ログを集計処理して得られる写損ログ集計結果により、再撮率の高い技師に対して適切な指導をすることができたり、撮影のコツや適切な照射量等を教授するのに役立たせたりすることができる。
（６）全撮影数に対する写損数に基づいて写損率を算出処理して得られる写損ログ集計結果により、写損率が所定の値を超えると警告等を表示装置７５に表示して注意を促すことが容易に行える。
（７）写損ログ集計結果を技師教育プログラム作成に反映させることができる。
【００５３】
以上の実施形態においては、写損情報集計装置４０の写損ログ・写損画像収集部７１（図３）が、第１及び第２の画像処理装置２１及び２２の外部格納装置６４（図２）に格納されている写損ログ及び写損画像データを収集したが、第１及び第２の画像処理装置２１及び２２から写損情報集計装置４０に定期的に又は必要に応じて写損ログ及び写損画像データを送信するようにしても良い。
また、写損ログ・写損画像保存装置をネットワークＮ１に接続し、第１及び第２の画像処理装置２１及び２２が写損ログ及び写損画像データを写損ログ・写損画像保存装置に保存して、写損ログ・写損画像収集部７１が定期的に又は必要に応じて写損ログ・写損画像保存装置から写損ログ及び写損画像データを収集するようにしても良い。
また、
【産業上の利用可能性】
【００５４】
本発明は、放射線画像の撮影時に発生した種々の原因による失敗を示す写損情報を集計するための写損情報集計システムに利用することができる。
【図面の簡単な説明】
【００５５】
【図１】本発明の一実施形態に係る写損情報集計システムの構成を示す図である。
【図２】図１に示す第１及び第２の画像処理装置の構成を示す図である。
【図３】図１に示す写損情報集計装置の構成を示す図である。
【符号の説明】
【００５６】
１１  第１の画像撮影装置
１２  第２の画像撮影装置
２１  第１の画像処理装置
２２  第２の画像処理装置
３１  第１の画像読取り装置
３２  第２の画像読取り装置
４０  写損情報集計装置
６１  画像処理部
６２  情報処理部
６３  写損ログ・写損画像送信部
６４  外部格納装置
６５  表示装置
６６  プリンタ
６７  入力装置
６８  ネットワークインタフェース
７１  写損ログ・写損画像収集部
７２  写損ログ集計部
７３  集計結果送信部
７４  外部格納装置
７５  表示装置
７６  ネットワークインタフェース
【図１】
2006218139.tif 000003
【図２】
2006218139.tif 000004
【図３】
2006218139.tif 000005